(57)【要約】【課題】インターレース画像からデインターレース画像を補間により高精度に再現できるようにする。【解決手段】入力ポート１２を介して入力されたインターレース画像をデインターレース画像に変換し、出力ポート２２から出力するインターレース画像の補間装置１０であって、前記インターレース画像をｇ、近似デインターレース画像をｆ、撮像摸擬過程をＡ、再生摸擬過程をＢとした場合、ｆ←ｆ＋Ｂ（ｇ−Ａｆ）により表わされる反復アルゴリズムに従って生成される新たな画像ｆを、前記デインターレース画像とする補間処理手段として信号処理装置１８を備えた。【選択図】　　　図１
2004080571.tif 000002
【特許請求の範囲】
【請求項１】
インターレース画像をデインターレース画像に変換するインターレース画像の補間装置であって、
前記インターレース画像をｇ、近似デインターレース画像をｆ、撮像摸擬過程をＡ、再生摸擬過程をＢとした場合、
ｆ←ｆ＋Ｂ（ｇ−Ａｆ）
により表わされる反復アルゴリズムに従って生成される画像ｆを、前記デインターレース画像とする補間処理手段を備えたことを特徴とするインターレース画像の補間装置。
【請求項２】
撮像摸擬過程Ａがアンチエリアス処理と間引き処理であり、再生摸擬過程Ｂがアンチエリアスフィルタによる補間処理であることを特徴とする請求項１に記載のインターレース画像の補間装置。
【請求項３】
撮像摸擬過程Ａがアンチエリアス処理と間引き処理であり、再生摸擬過程Ｂがハーフバンドの逆フィルタによる補間処理であることを特徴とする請求項１に記載のインターレース画像の補間装置。
【請求項４】
請求項１に記載のインターレース画像の補間装置を備えたことを特徴とする表示装置。
【請求項５】
請求項１に記載の補間装置による処理に適したインターレース画像を生成するインターレース画像生成装置であって、
プログレッシブスキャンカメラに、アンチエリアス処理機能と間引き処理機能とを有するインターレース処理装置を備えたことを特徴とするインターレース画像生成装置。
【請求項６】
請求項１に記載の補間装置による処理に適したインターレース画像を生成するインターレース画像生成装置であって、
インターレーススキャンカメラに、アンチエリアス処理機能を有する光学的ローパスフィルタを設置したことを特徴とするインターレース画像生成装置。
【発明の詳細な説明】
【０００１】
【発明が属する技術分野】
本発明は、インターレース画像を補間してデインターレース画像を生成する際に適用して好適なインターレース画像の補間装置、それを備えた表示装置及びそれに適したインターレース画像生成装置に関する。
【０００２】
【従来の技術】
一般に、放送映像では映像の奇数ラインと偶数ラインの画素列の画像データを交互に間引くインターレース処理により、偶数番目のスキャン画像と奇数番目のスキャン画像を交互に送出することが行なわれており、帯域幅が半分であっても擬似的に間引きの無い画像と同等の映像を見ることができるという方式を採用している。これは、情報量の圧縮に高度な技術を利用できなかった時代の産物であり、時代背景を考えると画期的な解決法であったと言える。しかしながら、現在においてはこのインターレース方式が招く弊害は顕著なものとなっており、排除が望まれているものの、従来方式との互換性、特に既存設備の関係から排除されずに残っている。
【０００３】
そのため、現在においても、放送映像等においては、動画像を構成するフィールドと呼ばれる各画像は、インターレース処理によって垂直方向に交互に間引き処理が行なわれ、全体として伝送帯域幅を１／２程度に削減することが行われている。その結果、ディスプレイに表示される映像には、ちらつきや垂直解像度の低下という問題があることから、近年の高級テレビジョン設備には、インターレース処理により間引かれた画素列を推定し、補間した後に表示するデインターレース処理機能が付加されているものもある。
【０００４】
【発明が解決しようとする課題】
しかしながら、従来のデインターレース処理機能には、近傍画素の輝度値による直線補間等の単純な補間方法を採用しているに過ぎないため、推定が正確でないことから、十分な精度で画像を再現できず、違和感を生じさせることも多々あるという問題があった。
【０００５】
本発明は、前記従来の問題点を解決するべくなされたもので、インターレース画像から本来のフル画像であるデインターレース画像を高精度に再現することができるインターレース画像の補間技術を提供することを課題とする。
【０００６】
【課題を解決するための手段】
本発明は、インターレース画像をデインターレース画像に変換するインターレース画像の補間装置であって、前記インターレース画像をｇ、近似デインターレース画像をｆ、撮像摸擬過程をＡ、再生摸擬過程をＢとした場合、
ｆ←ｆ＋Ｂ（ｇ−Ａｆ）
により表わされる反復アルゴリズムに従って生成される画像ｆを、前記デインターレース画像とする補間処理手段を備えたことにより、前記課題を解決したものである。
【０００７】
即ち、本発明においては、インターレース画像において間引かれている画素列の画像データを補間してデインターレース画像を再現するに際して、該インターレース画像に対して前記反復アルゴリズムによるバックプロジェクション法（Ｌａｎｄｗｅｂｅｒの反復法）を適用するようにしたので、近傍画素による単純な補間に比べ高精度な補間画像を再現することが可能となる。
【０００８】
本発明は、又、表示装置において、前記インターレース画像の補間装置を備えたことにより、同様に前記課題を解決したものである。
【０００９】
本発明は、又、前記補間装置による処理に適したインターレース画像を生成するインターレース画像生成装置であって、プログレッシブスキャンカメラに、アンチエリアス処理機能と間引き処理機能とを有するインターレース処理装置を備えたことにより、同様に前記課題を解決したものである。
【００１０】
本発明は、又、前記補間装置による処理に適したインターレース画像を生成するインターレース画像生成装置であって、インターレーススキャンカメラに、アンチエリアス処理機能を有する光学的ローパスフィルタを設置したことにより、同様に前記課題を解決したものである。
【００１１】
【発明の実施の形態】
以下、図面を参照して、本発明の実施の形態について詳細に説明する。
【００１２】
図１は、本発明に係る第１実施形態のインターレース処理装置の要部構成を示すブロック図である。
【００１３】
本実施形態のデインターレース処理装置（補間装置）１０は、図示しないテレビジョン（表示装置）に適用されるもので、点線で囲んだ部分に相当する。この処理装置１０には、放送設備等からインターレース信号（Ｄ１等）を順次入力するための入力ポート１２と、入力されたインターレース信号からなるこれら画像データを一時的に保存するＩ／Ｏバッファメモリ１４と、これら画像データを演算のために蓄える演算メモリ１６と、これら画像データから後に詳述する補間処理を実行するＤＳＰ（Ｄｉｇｉｔａｌ　Ｓｉｇｎａｌ　　Ｐｒｏｃｅｓｓｏｒ）等からなる信号処理装置（補間処理手段）１８と、該信号処理装置１８等を動作させるプログラムが格納されているプログラムメモリ２０と、信号処理装置１８で処理された補間結果をプログレッシブ信号（Ｄ２等）として出力する出力ポート２２が、それぞれデータバス・アドレスバスに接続された構成になっている。
【００１４】
本実施形態では、図示しない放送設備からインターレース信号が入力ポート１２を介して入力されると、画像データとして一旦演算メモリ１６に蓄えられる。その後、前記信号処理装置１８により、インターレース画像の画像データに基づいて間引かれている画素列の画素値を補間してデインターレース画像とする補間処理を、以下に詳述するＬａｎｄｗｅｂｅｒ反復アルゴリズム、即ち前記バックプロジェクション法により反復することによりデインターレース画像を復元（再現）する処理を実行する。
【００１５】
即ち、取得されたインターレース画像をｇ、近似デインターレース画像をｆ、撮像摸擬過程をＡ、再生摸擬過程をＢとした場合、
ｆ←ｆ＋Ｂ（ｇ−Ａｆ）　　　…（１）
により表わされる反復アルゴリズムに従って生成される画像ｆを、前記デインターレース画像とする補間処理を実行する。
【００１６】
上記（１）式の演算式で、インターレース画像ｇは、図２（Ａ）に画素列のイメージを実線で示すように、点線で示す画素列の輝度値が交互に間引かれた画像データに相当し、近似デインターレース画像ｆは、該インターレース画像ｇから間引かれている画素列の輝度値を補間して生成される、同図（Ｂ）に示すような間引きの無いフル画像に相当する。
【００１７】
近似デインターレース画像ｆは、撮像対象である原画像を推定し、近似した画像に相当する。これに対して、インターレース画像ｇは画素列が間引かれているものの、撮像対象（原画像）を実際に撮像して得られた撮像画像である。
【００１８】
前記撮像摸擬過程Ａは、インターレース処理機能（間引き処理機能）を有するデジタルカメラで撮像対象を撮像する過程を模擬する操作である。例えば、撮像系の特性によってボケ等の画像劣化を含む撮像画像が得られるとすれば、撮像摸擬過程Ａは、ボケを生じる過程を模擬するアンチエリアスフィルタ（ローパスフィルタ）とすることができる。ここでは、ボケを生じる過程と共に、画素列の間引きを行なう過程を模擬する。従って、撮像摸擬過程Ａには、アンチエリアス処理と間引き（インターレース）処理の２つの演算を含んでいる。
【００１９】
前記再現摸擬過程Ｂは、画像劣化を含む撮像画像から撮像対象を再現する過程を模擬する操作である。前記演算式（１）における（ｇ−Ａｆ）は、撮像対象（原画像）の撮像画像と、近似デインターレース画像ｆの撮像画像との差異に相当する項である。この項に対し、再現摸擬過程Ｂを適用して得られるＢ（ｇ−Ａｆ）は、原画像と近似デインターレース画像ｆとの差異に相当する項である。従って、近似デインターレース画像ｆに対してＢ（ｇ−Ａｆ）を加算した右辺は、その差異を修正していることになる。この右辺を新しいｆとすることにより、近似デインターレース画像ｆは更に原画像に近似することになる。
【００２０】
以上の反復処理を繰り返すことにより、近似デインターレース画像ｆに対して撮像摸擬過程Ａを適用して得られるＡｆは、近似デインターレース画像ｆが原画像と一致し、且つ撮像摸擬過程Ａが適正であるならば、インターレース画像ｇとよく一致することになる。そのとき、前記演算式（１）における（ｇ−Ａｆ）の項の値は０に近い値となり、反復演算により近似デインターレース画像ｆが収束した状態となる。
【００２１】
以上のＬａｎｄｗｅｂｅｒ型のアルゴリズムによる反復処理では、当然の如く前記演算式（１）に対して摸擬過程Ａ、Ｂの操作内容及び近似デインターレース画像ｆの初期値をどのように決定するかによって再構成精度や収束速度が異なる。これを以下に具体的に説明する。
【００２２】
撮像摸擬過程Ａに含まれるアンチエリアスフィルタ処理には、画素列方向に対して垂直方向に、次式
ｚ／４＋１／２＋ｚ−１／４　　　　…（２）
により表わされる単純なフィルタを用いることができる。従って、ここでは、その後にインターレース処理による間引きを施した処理の総計を撮像摸擬過程Ａとすることができる。なお、この（２）式でｚは垂直方向の遅延演算子であり、前記図２（Ｂ）のデインターレース画像において、任意の画素列の注目画素について、その輝度値を（１／２）倍した値に、垂直方向に１つ上の列（ｚ）、１つ下の列（ｚ−１）の各画素の輝度値をそれぞれ（１／４）倍した値を加えた合計値を、注目画素の輝度値に置き換えるという処理を行なうことを意味する。
【００２３】
又、再生摸擬過程Ｂは、間引いた画素の補間等で近似できる。例えば、入力側のアンチエリアスフィルタと同様に、次式
ｚ／２＋１＋ｚ−１／２　　　　…（３）
により表わされる単純なフィルタを用いてもよい。この（３）式は、間引き率が１／２のインターレースの場合であるため、定数が（２）式の２倍になっているが、同一の式であり、前記図２（Ａ）のインターレース画像の総ての画素列に対して実質的に同一の処理を行なうことを意味する。
【００２４】
更に、ｆの初期値は、任意であり、全ての画素値が０の段階から始めてもよいが、収束速度を速めるためにインターレース画像を、予め常法により補間した画像データを初期値とする方が好ましい。
【００２５】
本実施形態では、以上説明した反復処理は、各色が独立であるため、各色毎に別個に行なうことができる。従って、前記信号処理装置１８のような処理部を複数用意できる場合には、並列処理によって高速化することが可能である。以下に、ＲＧＢの各色について並列処理する場合の処理手順を図３のフローチャートに示す。
【００２６】
まず、インターレース画像ｇを入力し、前記演算メモリ１６に蓄える（ステップ１）。次いで、Ｒ、Ｇ、Ｂの各色毎のインターレース画像の各データを読み出して、前記信号処理装置１８により以下の処理を行なう。但し、ＲとＢについては、処理内容が全く同一であるので図示を省略する。
【００２７】
次いで、ｎ回の反復処理を行なった場合の近似デインターレース画像をｆｎとし、前述したようにその初期値ｆ０を設定すると共に、撮像摸擬過程Ａと再現摸擬過程Ｂを設定する（ステップ２、３）。
【００２８】
次いで、反復回数ｎ＝１とし（ステップ４）、前記（１）式を適用して近似デインターレース画像ｆｎ−１から近似デインターレース画像ｆｎを演算する（ステップ５）と共に、その演算結果ｆｎが収束したか否かの判定を行なう（ステップ６）。前述した如く、この判定は収束条件をどのように設定するかによっている。例えば、反復回数を収束条件として１０＜ｎのときに収束するとすることができる。但し、通常は数回程度で収束したと見なしても十分な精度の画像が得られる。これを、実際に行なった実験結果を元に示す。
【００２９】
ここで使用した原画像は、中心から外側に行くに従って周波数が高くなる同心円状のテストパターンからなるサーキュラーゾーンプレート（Ｃｉｒｃｕｌａｒ　　ＺｏｎｅＰｌａｔｅ：モノクローム）であり、アンチエリアスフィルタは前記（２）式の３ｔａｐ、再生摸擬過程Ｂで使用する補間フィルタは、便宜上後述する（５）式で表わされる９ｔａｐのフィルタを採用した場合の再生精度（ＳＮ比）で比較した。単位はｄＢ［デシベル］である。
【００３０】
基準となる単純補間の場合は２０．３２２２（ｄＢ）であった。一方、９ｔａｐフィルタによる補間の場合は、反復０回：２６．５９２６、反復１回：２７．６９２３、反復２回：２７．６９２３、反復３回：２８．４９０５、反復４回：２９．０７２４、反復５回：２９．４９９９、反復６回：２９．８１４１、反復７回：３０．０４５５、反復８回：３０．２１５６、反復９回：３０．３４４８、反復１０回：３０．４４４０であった。この結果により、１０回未満でほぼ収束していると見なすことができることが分かった。
【００３１】
又、このステップ６では、例えば、Ｂ×（ｇ−Ａ×ｆｎ−１）をベクトル形式で表わしたときのベクトルの大きさが所定値よりも小さいときに収束したとすることもできる。収束しないと判定されたときには、ステップ７に進み、ｎを１つ繰り上げてステップ５以降の処理を繰り返し、収束していると判定されたときには補間処理を終了する。
【００３２】
以上詳述した本実施形態によれば、前記反復アルゴリズムを適用して数回の反復処理を行なうことにより、従来の単純な補間処理に比べて、尖鋭な再構成画像を生成することができる。
【００３３】
従って、アナログ若しくはデジタルのインターレーススキャン信号を前記演算メモリ１６に蓄えた後、前記演算式（１）を適用してデインターレース処理を行なって得られたプログレッシブスキャン信号をアナログあるいはデジタル信号として出力することができる。その際、ビデオ信号は前記ＲＧＢ等の形式に限られず、ＹＣＣ（Ｙ（輝度）、Ｃｒ（赤の色差）、Ｃｂ（青の色差））等の形式でも、それぞれの成分を個別に処理することにより同様に扱うことができる。
【００３４】
次に、本発明に係る第２実施形態のデインターレース処理装置について説明する。
【００３５】
本実施形態は、前記反復演算式（１）における再生摸擬過程Ｂの操作を、前記（２）式によるアンチエリアスフィルタに代えて、ハーフバンド（半帯域）の逆フィルタを用いて行なうようにした以外は、前記第１実施形態のデインターレース処理装置と実質的に同一である。
【００３６】
このハーフバンドの逆フィルタとしては、次の（４）式、（５）式
−ｚ２／８＋ｚ／４＋３／４＋ｚ−１／４−ｚ−２／８　　　　　　　…（４）
３（ｚ４＋ｚ−４）／１２８−３（ｚ３＋ｚ−３）／６４
−（ｚ２＋ｚ−２）／８＋１９（ｚ＋ｚ−１）／６４＋４５／６４　…（５）
で表わされる５ｔａｐフィルタ、９ｔａｐフィルタ等を採用することができる。
【００３７】
これらハーフバンドの逆フィルタの周波数特性を図４に示す。この図の横軸はナイキスト周波数に対する規格化周波数である。図中、ｓ３（ｘ）は前記（３）式の３ｔａｐフィルタ、即ち通常のアンチエリアスフィルタの特性であり、ｓ５（ｘ）、ｓ９（ｘ）がそれぞれ（４）式、（５）式に対応している。ｓ１３（ｘ）は、式は明示していないが、１３ｔａｐフィルタの特性である。但し、実際に使用する場合は、（２）式に対する（３）式のように、全ての係数を２倍する必要がある。
【００３８】
図５は、撮像摸擬過程Ａにアンチエリアスフィルタ（ｓ３）を使用し、再生摸擬過程Ｂに上記図４に示した３ｔａｐから１３ｔａｐまでの各フィルタ（ｓ３〜ｓ１３）を使用した場合を合成操作とし、各合成フィルタの特性を示したものである。
【００３９】
この図に示されるように、合成フィルタにアンチエリアスフィルタと同様の平滑化フィルタ（ｓ３＊ｓ３）を用いた場合は、平坦特性が得られないので合成の特性がボケを増大させたものになるため好ましくない。これに対して、ｓ３＊ｓ５、ｓ３＊ｓ９、ｓ３＊ｓ１３の各フィルタを用いた場合には、半帯域でほぼ１の最大平坦特性となるように設計したフィルタであるために再構成精度が向上し、ボケが少なくなっている。
【００４０】
従って、本実施形態によれば、間引かれた画素列における各画素に対する輝度値（画素値）を補間できると共に、再生摸擬過程Ｂに３ｔａｐフィルタを使用した前記第１実施形態に比べ、一段と高域周波成分を正確に復元することが可能となっている。
【００４１】
以上詳述した第１実施形態と第２実施形態のインターレース処理装置は、単体のスキャンコンバータとしてテレビジョンに適用しても、あるいはテレビジョンに内蔵するようにしてもよい。このように、インターレース処理装置をテレビジョンに適用する場合には、放送方式自体に手を加えることなく、高品位な再生画像をテレビジョンに表示させることができる。
【００４２】
次に、本発明に係る第３実施形態のインターレース画像生成装置について説明する。この生成装置は、前述したデインターレース処理装置による補間処理に適したインターレース画像を生成することができる。
【００４３】
図６は、本実施形態のインターレース画像生成装置の要部構成を示すブロック図である。この生成装置は、プログレッシブスキャンカメラを利用したもので、一点鎖線内のインターレース処理装置３０を、該カメラに付設した構成からなる。
【００４４】
このインターレース処理装置３０は、プログレッシブスキャンカメラが有する撮像素子２８から画像信号をＡ／Ｄ変換して入力するＡ／Ｄ入力ポート３２と、処理結果をＤ／Ａ変換して出力するＤ／Ａ出力ポート４２に変更した以外は、ハード構成としては前記図１に示したデインターレース処理装置と同様に、Ｉ／Ｏバッファメモリ３４、演算メモリ３６、信号処理装置３８、プログラムメモリ４０を備えている。
【００４５】
このインターレース処理装置３０では、撮像素子２８からの画像信号を一旦演算メモリ３６に蓄え、信号処理装置３８により垂直方向のアンチエリアス処理（ローパスフィルタ適用）の後、偶数フィールドと奇数フィールドで交互に走査線を間引くことにより、生成されるインターレース画像信号を、出力ポート４２から出力する。
【００４６】
この処理装置３０は、プログレッシブスキャンカメラに単体の装置として実装してもよいが、該カメラが有する編集装置等の内部ロジックを利用して、ソフトウェアとして実装するようにしてもよい。又、カメラが内部にスキャンコンバータ機能を内蔵している場合には、そのインターレース処理にフィルタ処理を追加することにより、インターレース画像生成装置を実現することもできる。
【００４７】
なお、インターレース画像生成装置は、インターレーススキャンカメラにより実現することもできる。この場合は、図７にイメージを示すようにレンズ５０と、ＣＣＤ、ＣＭＯＳ等の撮像素子５２の間に、水晶板等からなる光学的なローパスフィルタ５４を挿入して、垂直通過帯域幅が１／２になるようにすることによりハードウェアで実現できる。
【００４８】
次に、本実施形態のインターレース画像生成装置により生成されるインターレース画像が、前記第１又は第２実施形態のデインターレース処理装置に有効に適用できることを説明する。
【００４９】
図８〜図１１は、前述したサーキュラーゾーンプレート（中心から外側に行くに従って周波数が高くなる同心円状のテストパターン）を用いて、インターレース画像を生成する際に、本実施形態のようにアンチエリアス処理を行なう場合の効果を確認した。各図共中心部の縦１ラインのＲ成分の輝度特性を示す。他のＧ、Ｂの各色も同様の位相と周波数特性を示す。
【００５０】
図８は、アンチエリアス処理をせずに、インターレース処理をした後、通常の補間処理をした場合。
【００５１】
図９は、アンチエリアス処理をせずに、インターレース処理をした後、反復デインターレース処理をした場合。
【００５２】
図１０は、アンチエリアス処理をし、次いでインターレース処理をした後、通常の補間処理をした場合。
【００５３】
図１１は、アンチエリアス処理をし、次いでインターレース処理をした後、反復デインターレース処理をした場合。
【００５４】
以上の各図を比較すると、アンチエリアス処理を適用しない場合は、当然の如くエリアス成分（モアレ）の影響が出るが、図８の通常の単純補間に比べて、反復法を適用した図９にはしっかりとした輪郭が出ている。又、アンチエリアス処理をした場合に、当然ながら図１０の単純補間ではボケが生じるために、テスト画像の周辺部（高周波域）でコントラストが無くなっている。これに対して、反復デインターレースを行なった図１１の場合には、ボケを抑えてくっきりした輪郭が表現されていることが示されている。なお、ここでの反復処理は、撮像摸擬過程Ａを３ｔａｐのアンチエリアスフィルタによる処理、再生摸擬過程Ｂを９ｔａｐのハーフバンドの逆フィルタによる処理とし、反復処理回数は１０回とした。
【００５５】
前記図９と図１１に示される結果から明らかなように、本発明によるデインターレース処理装置が、高品質な補間画像を復元できることから有効であることが示され、更には、復元する前のインターレース画像も、前記第３実施形態の生成装置のようにアンチエリアス処理することが有効であることが分る。
【００５６】
従って、前記第１又は第２実施形態で示したデインターレース処理装置をデジタルテレビジョンに適用すると共に、放送用の撮像装置（テレビカメラ）にアンチエリアスフィルタを設置して若干の変更を加えることにより、現状の放送方式自体を変更することなく、高品位な再生画像をテレビ画面に表示させることが可能となる。
【００５７】
なお、このように本発明に係るインターレース技術とデインタレース技術とを現状の放送方式に適用する場合には、全体構成を、例えば図１２（Ａ）にイメージを示すような外付型と、同図（Ｂ）に示す内蔵型とに大別することができる。
【００５８】
通常のテレビジョン信号は帯域圧縮のために、ＲＧＢの原色信号をＹＣＣの色差信号に変換した後、色差信号の帯域幅を狭めている。そのため、外付型では、カメラからの信号を（ＲＧＢ→ＹＣＣ）変換後に、外付けされている前記図６に示したようなインターレーサ（インターレース処理装置）に入力し、該インターレーサからの出力を、現行のインターレース信号として送出する。この信号を受信する表示側では、テレビジョンに外付けされている前記図１に示したようなデインターレーサ（デインターレース処理装置）に入力し、（ＹＣＣ→ＲＧＢ）変換後にディスプレイに表示する。
【００５９】
一方、内蔵型では、カメラからの信号を先にインターレーサで処理した後、（ＲＧＢ→ＹＣＣ）変換を行なって送出する。表示側では、（ＹＣＣ→ＲＧＢ）変換後にデインターレーサで処理してディスプレイに表示する。
【００６０】
なお、カメラ、ディスプレイ及び通信方式のそれぞれに、インターレーススキャンとプログレッシブスキャンがあり、現状は全て同じ方式でないと互換性が無いが、前述したようにプログレッシブスキャン方式のカメラやディスプレイにインターレーサあるいはデインターレーサを外付けすれば現行のインターレース方式と互換性を取ることができるようになる。又、予めプログレッシブスキャン方式の装置内にインターレーサやデインターレーサを内蔵すれば、インターレース方式と互換性のある装置に仕立てることが可能になる。
【００６１】
以上、本発明について具体的に説明したが、本発明は、前記実施形態に示したものに限られるものでなく、その要旨を逸脱しない範囲で種々変更可能である。
【００６２】
例えば、前記実施形態では、放送用のカメラやテレビジョンに本発明を適用した場合を説明したが、これに限定されるものではなく、内部はプログレッシブスキャンで外部がインターレースキャンのインターレーサ内蔵のデジタルムービーカメラであっても良い。
【００６３】
又、前記実施形態のデインターレース処理装置では、ＲＧＢの各色について並列処理する場合を説明したが、前記図１２の全体構成にイメージを示したように、ＹＣＣの各色について並列処理するようにしてもよい。
【００６４】
【発明の効果】
以上説明したとおり、本発明によれば、入力されたインターレース画像からデインターレース画像を高精度に再現することができる。
【図面の簡単な説明】
【図１】本発明に係る第１実施形態のデインターレース処理装置の要部構成を示すブロック図
【図２】インターレース画像とデインターレース画像のイメージを示す線図
【図３】第１実施形態の作用を示すフローチャート
【図４】ハーフバンドの逆フィルタの周波数特性を示す線図
【図５】ハーフバンドの逆フィルタを再生摸擬課程に適用した効果を示す線図
【図６】本発明に係る第３実施形態のインターレース画像生成装置の要部構成を示すブロック図
【図７】インターレーススキャンカメラにより実現したインターレース画像生成装置の要部を示す概略斜視図
【図８】インターレース画像を生成する際のアンチエリアス処理の効果を説明する第１の線図
【図９】インターレース画像を生成する際のアンチエリアス処理の効果を説明する第２の線図
【図１０】インターレース画像を生成する際のアンチエリアス処理の効果を説明する第３の線図
【図１１】インターレース画像を生成する際のアンチエリアス処理の効果を説明する第４の線図
【図１２】インターレース画像の生成からディスプレイ表示までの全体構成のイメージを示す説明図
【符号の説明】
１６、３６…演算メモリ
１８、３８…信号処理装置
２０、４０…プログラムメモリ
【図１】
2004080571.tif 000003
【図２】
2004080571.tif 000004
【図３】
2004080571.tif 000005
【図４】
2004080571.tif 000006
【図５】
2004080571.tif 000007
【図６】
2004080571.tif 000008
【図７】
2004080571.tif 000009
【図８】
2004080571.tif 000010
【図９】
2004080571.tif 000011
【図１０】
2004080571.tif 000012
【図１１】
2004080571.tif 000013
【図１２】
2004080571.tif 000014